(57)【要約】      （修正有）【課題】ポケット付手袋に関し、収納用ポケットに袋体と蓋体と留め具を設けた手袋であって、袋体の入口が伸縮性の素材により形成されて物品が収納および取出し易い収納用ポケットを装備したポケット付手袋を提供する。【解決手段】本体部２２と伸縮性のある形態または伸縮性のある素材で形成された手首部２４とからなる手袋本体２０に、収納用ポケット３０を装備したポケット付手袋１０であって、前記収納用ポケット３０は、袋体４０と、蓋体５０と、留め具と、からなり、前記手袋本体２０の本体部２２の手の甲面側に設けられるとともに、前記袋体４０の入口部に伸縮体を装着した構成である。【選択図】図１
2011184843.tif 000002
【特許請求の範囲】
【請求項１】
本体部と伸縮性のある形態または伸縮性のある素材で形成された手首部とからなる手袋本体に、収納用ポケットを装備したポケット付手袋において、
前記収納用ポケットは、袋体と、蓋体と、留め具と、からなり、前記手袋本体の本体部の手の甲面側に設けられるとともに、前記袋体の入口部に伸縮体を装着したことを特徴とするポケット付手袋。
【請求項２】
前記入口部の伸縮体は、天然ゴムまたは合成ゴムであることを特徴とする請求項１記載のポケット付手袋。
【請求項３】
前記収納用ポケットは、前記蓋体が前記袋体と略同一の大きさに形成され、留め具が蓋体の先端部に装備されていることを特徴とする請求項１または２記載のポケット付手袋。
【請求項４】
前記収納用ポケットは、開口部が前記手袋本体の手首部側に設けられていることを特徴とする請求項１乃至３の何れか１項に記載のポケット付手袋。
【請求項５】
前記収納用ポケットは、開口部が手袋本体の側面に設けられていることを特徴とする請求項１乃至４の何れか１項に記載のポケット付手袋。
【請求項６】
前記留め具は、面ファスナにより形成されることを特徴とする請求項１乃至５の何れか１項に記載のポケット付手袋。
【請求項７】
前記留め具は、線ファスナにより形成されることを特徴とする請求項１記載のポケット付手袋。
【請求項８】
本体部と伸縮性のある形態または伸縮性のある素材で形成された手首部とからなる手袋本体に、収納用ポケットを装備したポケット付手袋において、
前記収納用ポケットは、袋体と、留め具と、からなり、前記手袋本体の本体部の手の甲面外側に設けられるとともに、前記袋体は略Ｌ字型の開口部を形成し、前記留め具は前記開口部に沿って線ファスナで形成されることを特徴とするポケット付手袋。
【発明の詳細な説明】
【技術分野】
【０００１】
本発明は、ポケットの付いている手袋に関し、特に、袋体と蓋体とを備えた収納用ポケットを装備した手袋であって、袋体の入口部が伸縮性の高い素材により形成されたポケット付手袋に関する。
【背景技術】
【０００２】
従来、防寒用の手袋には、用途や目的に合わせて収納用のポケットを装備した手袋が開発されている。収納用の袋付きの手袋としては、カイロや保冷材を挿入して温度を快適に保つもの、リフト券を挿入するためのもの、カードを携帯するためのものがあり、用途に合わせていくつかの改良型が開発されている。
【０００３】
特開２００９−１７４１０１号に記載されたカイロや保冷材等のポケット収納材を挿入する手袋では、手の甲面内側にポケットを備えており、手の保護とともに温度調整が図れるという利点がある。しかし、収納材以外の物品、例えば小銭等を挿入するにはポケットが小さく使いづらいという問題があった。
【０００４】
スキーのリフト券等を挿入するポケット付手袋では、リフト券の挿入・取出し時には素手でポケットを利用するため収納部が薄く形成されていても問題ないが、日常的に両方の手に手袋をした状態で利用する場合は小物を収納するのに不便であるという問題があった。
【０００５】
また、実用新案登録第３１４２５７７号に開示されているカード携帯用のポケットでは、ポケットに開閉可能な蓋が取付けられた構造が開示されている。この構造は使用時に内部からカードを取り出すことなくカードを保持したまま利用できるという点で便利である。しかし、日常で取出しの多い小物を内部に収納するにはボタンやクリップでは容易に開閉し難いという問題がある。また、ポケットが指袋を兼用するものであるため、小物等の物品を収納するには使い勝手が悪いという問題があった。
【０００６】
更に、手袋をしたまま小物を取り出す場合には、手袋の厚みが邪魔をして収納用ポケットから取り出し難いという問題がある。従来技術として開示されているポケット付手袋では、ポケット内に収納した物品をポケットから取り出しする手間が省けて、手袋に装着したまま便利に収納物品を活用できるという利点がある。しかし、小銭や菓子など、日常的に持ち歩き更に出し入れが多いものに関しては、手袋をしたまま収納や取出しを行うことが困難であるという問題が残っていた。
【０００７】
また、機能性を追求することによってデザイン性を高めることが困難となり、機能的であっても普及しないという事態が生じていた。その為、手袋に付帯したポケットを更に有効に活用できるデザイン性の高い構造のポケット付手袋の開発が望まれていた。
【先行技術文献】
【特許文献】
【０００８】
【特許文献１】特開２００９−１７４１０１号公報
【特許文献２】特開平６−１３４０７４号公報
【特許文献３】実用新案登録第３１４２５７７号公報
【発明の概要】
【発明が解決しようとする課題】
【０００９】
本発明は、上記問題を解決するために、ポケット付手袋に関し、特に、収納用ポケットに袋体と蓋体と留め具を設けた手袋であって、袋体の入口が伸縮性の素材により形成されて物品の収納および取出しのし易い収納用ポケットを装備したポケット付手袋を提供することを目的とする。
【課題を解決するための手段】
【００１０】
上記の目的を達成するために、本発明のポケット付手袋は、本体部と伸縮性のある形態または伸縮性のある素材で形成された手首部とからなる手袋本体に、収納用ポケットを装備したポケット付手袋であって、前記収納用ポケットは、袋体と、蓋体と、留め具と、からなり、前記手袋本体の本体部の手の甲面側に設けられるとともに、前記袋体の入口部に伸縮体を装着した構造である。
【００１１】
また、前記入口部の伸縮体は、天然ゴムまたは合成ゴムで構成される。また、前記収納用ポケットは、前記蓋体が前記袋体と略同一の大きさに形成され、留め具が蓋体の先端部に装備されている構造である。
【００１２】
また、前記収納用ポケットは、開口部が前記手袋本体の手首部側に設けられている構造である。また、前記収納用ポケットは、開口部が手袋本体の側面に設けられている構造とすることもできる。
【００１３】
また、前記留め具は、面ファスナにより形成される構造である。また、前記留め具は、線ファスナにより形成される構造とすることもできる。
【００１４】
また、本体部と伸縮性のある形態または伸縮性のある素材で形成された手首部とからなる手袋本体に、収納用ポケットを装備したポケット付手袋であって、前記収納用ポケットは、袋体と、留め具と、からなり、前記手袋本体の本体部の手の甲面外側に設けられるとともに、前記袋体は略Ｌ字型の開口部を形成し、前記留め具は前記開口部に沿って線ファスナで形成されるポケット付手袋である。
【発明の効果】
【００１５】
本発明に係るポケット付手袋は、上記詳述した通りの構成であるので、以下のような効果を奏する。
１．手の甲面側に収納用ポケットが装着されているため、収納した物品を握り潰すことなく安全に収納保持することが出来る。収納用ポケットの入口部が伸縮性のある素材で形成されているため、使用時に収納物が不用意にポケットから落ちる虞がない。また、伸縮構造により物品の挿入、取出しが容易である。更に、収納用ポケットに蓋体と留め具が設けられているため蓋体表面に装飾を施すことも出来てデザイン性に優れており、収納時の安全性が確実である。
【００１６】
２．入口部を天然ゴムまたは合成ゴムとすることで伸縮性に優れた構造であるとともに、口のすぼまった袋体を形成しやすく、脱落し難い。また、安価で利便性の高い安全性を備えたポケット付手袋とすることが出来る。
３．蓋体を袋体と略同一の大きさにすることで、内側に二重に形成された収納用ポケットにより保温性が高く、収納する物品を変形することなく確実に保護することが出来る。また、デザイン性の高いポケット付手袋とすることが出来る。
【００１７】
４．開口部が手首部側に設けられているため収容物が落ちにくく、収納物を取出し易い。
５．開口部が側面に設けられているため物品を収納し易く、取出し易い。
【００１８】
６．面ファスナにより確実に袋体と蓋体を係止できるとともに、平らな留め具であるため手を動かし易く安全である。また、取外しが容易であり、収納、取出しがし易い構造である。
７．留め具を線ファスナとすることで手袋本体の材質に適したデザイン性の高い手袋とすることが出来る。また、収納物を落とすことなく確実に保持出来る。
【００１９】
８．袋体が甲面の外側に設けられているので収容量が大きく、更に、開口部が略Ｌ字型に形成されているため開口部から小物を挿入、取出し易く、留め具が線ファスナであるため保護が確実であってデザイン性に優れた収納用ポケット付きの手袋である。
【図面の簡単な説明】
【００２０】
【図１】本発明に係るポケット付手袋の斜視図。
【図２】本発明に係るポケット付手袋の蓋体開口状態を示す斜視図。
【図３】本発明に係るポケット付手袋の別の実施例を示す斜視図。
【図４】本発明に係るポケット付手袋の更に別の実施例を示す斜視図。
【発明を実施するための形態】
【００２１】
本発明に係るポケット付手袋１０は、図１および図２に示すように、手袋本体２０と、収納用ポケット３０とからなる。また、収納用ポケット３０は、袋体４０と、蓋体５０と、留め具６０と、からなる構成である。
【００２２】
手袋本体２０は、本体部２２と手首部２４とからなる。
本体部２２は、掌と手の甲を覆う部位であり、織布、不織布、皮革等により形成される。図１に示す実施例では指部分を覆う形状の本体部２２が記載されているが、指部分のない本体部２２とすることも可能である。
【００２３】
手首部２４は、手首部分を防寒保護する部位であり、織布等を伸縮性のある形態に仕上げる構成や、伸縮性のある素材で形成する構成、織布、不織布、皮革等、に伸縮性のある素材を装着した構成で形成される。手首部の長さは使用目的またはデザイン性を考慮して自由に設定することができる。
【００２４】
収納用ポケット３０は、手袋本体２０の本体部２２の手の甲面側に設けられ、袋体４０と、蓋体５０と、留め具６０と、からなる構成である。
【００２５】
袋体４０は、収納用ポケット３０において物品を収納する部位である。この実施例では手袋本体２０の外側に装着されている。本実施例では手袋本体の本体部２２と同一の素材で形成されているが、材質はこれに限定されるものではない。手袋本体２０とは異なる織布、不織布、皮革等の別素材により形成することが可能である。袋体４０を付設する位置については、この実施例では手首部のすぐ上となっているが、この位置に限定されるものではなく、手首部よりも上の位置に装着することもできる。
【００２６】
袋体４０の入口部４２には伸縮体が装着されている。伸縮体は天然ゴムまたは合成ゴム等の弾性ゴムによる高い伸縮性を有する素材であることが好ましい。伸縮性のある素材によって織布を形成することにより入口部４２に伸縮体を装着させて伸縮性の高い構成とすることができる。また、袋体４０と同一の繊維を入口部において伸縮性を持つように織込むことにより入口部４２に伸縮性を持たせる構成とすることも可能である。
【００２７】
図１および図２に示す実施例では、合成ゴムを内包した繊維による織布により伸縮性の高い入口部４２を形成している。袋体４０の大きさは特に限定されないが、大きな物品を収納可能とするように指部分を除く手の甲面を覆う程度の大きさであることが好ましい。
【００２８】
蓋体５０は、袋体４０の開口部４４を被覆するとともに収納物が脱落することを防止する。蓋体５０の大きさは限定されないが、デザイン性を考慮して袋体４０と略同一の大きさとすることが可能である。蓋体５０を袋体４０と略同一の大きさとし、袋体全体を覆うことで甲面が二重に保護され、保温性が高く外部からの衝撃にも強い構成とすることができる。
【００２９】
留め具６０は、収納用ポケット３０の袋体４０および蓋体５０に設けられて二つの部材を係合して開口部を塞ぎ、開口部４４から収納物が落下することを防止する。
図１に示す実施例では、留め具６０は、蓋体４０と略同一の大きさに形成された蓋体５０の先端部に装備されている。留め具６０の位置は限定されず、袋体５０と対応する袋体上に設置されればよい。蓋体４０の先端部に設けることで開閉が容易であって保護を確実にすることができる。
【００３０】
図２および図３に示す実施例では、留め具６０を面ファスナ６２により形成している。面ファスナ６２によれば、蓋体４０の開閉が容易であり、物品収納時にも外れる恐れがなく、平らで柔軟性があるため手の稼働を妨げることなく安全である。
また、他の留め具６０としてホック、ボタン、フックまたは平板の磁石等を用いることも可能である。
【００３１】
また、留め具６０を線ファスナによって形成することも可能である。線ファスナにより確実に開口部を塞ぐことができ、物品を確実に収納保持することができる。また、線ファスナによって手袋本体の材質に適したデザイン性の高い手袋とすることができる。例として、皮革製の手袋本体２０に同一素材の皮革製の収納用ポケット３０を装備し、留め具６０に線ファスナを用いることによりシンプルで機能性の高いデザインのポケット付手袋１０とすることができる。また、皮革製手袋にあっては内部に平板磁石の留め具６０を装備することにより外観上は統一のとれた皮革製品を強調しつつ留め具機能を持たせることも可能である。
【００３２】
収納用ポケットの開口部４４は図１および図２に示す実施例のように、手袋本体２０の手首部側に設けられる。開口部が手首部側に位置することで収容物が落ち難く、取出し易い構成である。
また、図３（ａ）および図３（ｂ）に示す別の実施例のように、開口部４４を手袋本体２０の側面に位置するように設けることも可能である。特に手の甲の親指側の側面に開口部４４を設けることで物品を収納、取出し易い構造とすることができる。
【００３３】
次に、本発明に係る収納用ポケット付手袋１０の更に別の実施例を図４に示すポケット付手袋１０により詳述する。図４（ａ）は本発明に係るポケット付手袋の開口部が閉じた状態、図４（ｂ）は開口部が開いた状態を示す。
【００３４】
図４に示す実施例では、図１に示す実施例と同様に、手袋本体２０が、本体部２２と、伸縮性のある形態または伸縮性のある素材によって形成される手首部２４からなり、手袋本体２０の本体部２２の手の甲面外側に収納用ポケット３０が装備されている。
【００３５】
収納用ポケット３０は、袋体４０と留め具６０とからなる構成であり、留め具６０は線ファスナ６４により形成される。また、袋体４０の開口部４４は、略Ｌ字型に形成される。Ｌ字型の大きな開口であるので物品をポケット内に収納し易い構造である。
【００３６】
留め具６０は、線ファスナ６４が採用され、袋体４０の略Ｌ字型の開口部４４に沿って形成される。開口部４４は、Ｌ字型に湾曲を持たせて緩やかなカーブを描くように形成されることが好ましい。カーブを有することで、線ファスナ６４によりスムーズに開閉することが可能である。
【００３７】
本実施例のポケット付手袋１０は、開口部が略Ｌ字型に広く形成されているため開口部４４から小物を挿入、取出し易い構成である。更に、留め具６０が線ファスナ６４により形成されるため、使用時に開口部の広さ調節でき、収容物を確実に保持することができる。また、デザイン性の高い収納用ポケットを装備したポケット付手袋であり、特に伸縮性の少ない皮革製の手袋本体にポケット部を装備する場合に好ましい効果を奏する。
【符号の説明】
【００３８】
１０    ポケット付手袋
２０    手袋本体
２２    本体部
２４    手首部
３０    収納用ポケット
４０    袋体
４２    入口部
４４    開口部
５０    蓋体
６０    留め具
６２    面ファスナ
６４    線ファスナ
【図１】
2011184843.tif 000003
【図２】
2011184843.tif 000004
【図３】
2011184843.tif 000005
【図４】
2011184843.tif 000006
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
本体部と伸縮性のある形態または伸縮性のある素材で形成された手首部とからなる手袋本体に、収納用ポケットを装備したポケット付手袋において、
前記収納用ポケットは、袋体と、蓋体と、留め具と、からなり、前記手袋本体の本体部の手の甲面側に設けられるとともに、前記袋体の入口部に天然ゴムまたは合成ゴム素材による伸縮体を装着した構造であり、前記蓋体は前記袋体と略同一の大きさに形成されて、前記留め具は蓋体の先端部に装備され面ファスナにより形成されていることを特徴とするポケット付手袋。
【請求項２】
前記収納用ポケットは、開口部が前記手袋本体の手首部側に設けられていることを特徴とする請求項１に記載のポケット付手袋。
【請求項３】
前記収納用ポケットは、開口部が手袋本体の側面に設けられていることを特徴とする請求項１に記載のポケット付手袋。
となっております。
【手続補正２】
【補正対象書類名】明細書
【補正対象項目名】００１０
【補正方法】変更
【補正の内容】
【００１０】
上記の目的を達成するために、本発明のポケット付き手袋は、本体部と伸縮性のある形態または伸縮性のある素材で形成された手首部とからなる手袋本体に、収納用ポケットを装備したポケット付手袋において、前記収納用ポケットは、袋体と、蓋体と、留め具と、からなり、前記手袋本体の本体部の手の甲面側に設けられるとともに、前記袋体の入口部に天然ゴムまたは合成ゴム素材による伸縮体を装着した構造であり、前記蓋体は前記袋体と略同一の大きさに形成されて、前記留め具は蓋体の先端部に装備され面ファスナにより形成されている構造である。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
本体部と伸縮性のある形態または伸縮性のある素材で形成された手首部とからなる手袋本体に、収納用ポケットを装備したポケット付手袋において、
前記収納用ポケットは、袋体と、蓋体と、留め具と、からなり、前記手袋本体の本体部の手の甲面側に設けられるとともに、前記袋体の入口部に天然ゴムまたは合成ゴム素材による伸縮体を装着した構造であり、
前記蓋体は前記袋体と略同一の大きさに形成されて、
前記留め具は蓋体の先端部に装備され面ファスナにより形成されていることを特徴とするポケット付手袋。
【請求項２】
前記収納用ポケットは、開口部が前記手袋本体の手首部側に設けられていることを特徴とする請求項１に記載のポケット付手袋。
【請求項３】
前記収納用ポケットは、開口部が手袋本体の側面に設けられていることを特徴とする請求項１に記載のポケット付手袋。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
本体部と伸縮性のある形態または伸縮性のある素材で形成された手首部とからなる手袋本体に、収納用ポケットを装備したポケット付手袋において、
前記収納用ポケットは、袋体と、蓋体と、留め具と、からなり、前記手袋本体の本体部の手の甲面側に設けられるとともに、前記袋体の入口部に合成ゴム素材による伸縮体を装着した構造であり、
前記蓋体は、前記袋体より小さく、かつ袋体の半分より大きく形成され、
前記留め具は蓋体の先端に装備された面ファスナにより形成されていることを特徴とするポケット付手袋。
【請求項２】
前記収納用ポケットは、開口部が前記手袋本体の手首部側に設けられていることを特徴とする請求項１に記載のポケット付手袋。
【請求項３】
前記収納用ポケットは、開口部が手袋本体の側面に設けられていることを特徴とする請求項１に記載のポケット付手袋。
【手続補正２】
【補正対象書類名】明細書
【補正対象項目名】００１０
【補正方法】変更
【補正の内容】
【００１０】
上記の目的を達成するために、本発明のポケット付き手袋は、本体部と伸縮性のある形態または伸縮性のある素材で形成された手首部とからなる手袋本体に、収納用ポケットを装備したポケット付手袋において、前記収納用ポケットは、袋体と、蓋体と、留め具と、からなり、前記手袋本体の本体部の手の甲面側に設けられるとともに、前記袋体の入口部に合成ゴム素材による伸縮体を装着した構造であり、前記蓋体は前記袋体より小さく、かつ袋体の半分より大きく形成され、前記留め具は蓋体の先端に装備され面ファスナにより形成されている構造である。
【手続補正３】
【補正対象書類名】明細書
【補正対象項目名】００１６
【補正方法】変更
【補正の内容】
【００１６】
２．入口部を合成ゴムとすることで伸縮性に優れた構造であるとともに、口のすぼまった袋体を形成しやすく、脱落し難い。また、安価で利便性の高い安全性を備えたポケット付手袋とすることが出来る。
３．蓋体を袋体よりは小さく、かつ袋体の半分よりは大きくすることで、内側に二重に形成された収納用ポケットにより保温性が高く、収納する物品を変形することなく確実に保護することが出来る。また、デザイン性の高いポケット付手袋とすることが出来る。
【手続補正４】
【補正対象書類名】明細書
【補正対象項目名】００２６
【補正方法】変更
【補正の内容】
【００２６】
袋体４０の入口部４２には伸縮体が装着されている。伸縮体は合成ゴム等の弾性ゴムによる高い伸縮性を有する素材であることが好ましい。伸縮性のある素材によって織布を形成することにより入口部４２に伸縮体を装着させて伸縮性の高い構成とすることができる。また、袋体４０と同一の繊維を入口部において伸縮性を持つように織込むことにより入口部４２に伸縮性を持たせる構成とすることも可能である。
【手続補正５】
【補正対象書類名】明細書
【補正対象項目名】００２８
【補正方法】変更
【補正の内容】
【００２８】
蓋体５０は、袋体４０の開口部４４を被覆するとともに収納物が脱落することを防止する。蓋体５０の大きさは限定されないが、袋体４０よりは僅かに小さく、かつ、最小のサイズに仕上げる場合には、少なくとも袋体の半分よりは大きく構成することが可能である。蓋体５０を袋体４０よりは小さく、かつ袋体の半分よりは大きく構成し、袋体全体を覆うことで甲面が二重に保護され、保温性が高く外部からの衝撃にも強い構成とすることができる。
【手続補正６】
【補正対象書類名】明細書
【補正対象項目名】００２９
【補正方法】変更
【補正の内容】
【００２９】
留め具６０は、収納用ポケット３０の袋体４０および蓋体５０に設けられて二つの部材を係合して開口部を塞ぎ、開口部４４から収納物が落下することを防止する。
図１に示す実施例では、留め具６０は、蓋体５０の先端に装備されている。留め具６０の位置は限定されず、袋体４０と対応する袋体上に設置されればよい。蓋体５０の先端に設けることで開閉が容易であって保護を確実にすることができる。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
本体部と伸縮性のある形態または伸縮性のある素材で形成された手首部とからなる手袋本体に、収納用ポケットを装備したポケット付手袋において、
前記収納用ポケットは、袋体と、蓋体と、留め具と、からなり、前記手袋本体の本体部の手の甲面側に設けられるとともに、前記袋体の入口部に合成ゴム素材による伸縮体を装着した構造であり、
前記蓋体は、前記袋体の三辺の側縁に達しない程度の大きさに形成され、
前記留め具は蓋体の先端に装備された面ファスナにより形成されていることを特徴とするポケット付手袋。
【請求項２】
前記収納用ポケットは、開口部が前記手袋本体の手首部側に設けられていることを特徴とする請求項１に記載のポケット付手袋。
【請求項３】
前記収納用ポケットは、開口部が手袋本体の側面に設けられていることを特徴とする請求項１に記載のポケット付手袋。
【手続補正２】
【補正対象書類名】明細書
【補正対象項目名】００１０
【補正方法】変更
【補正の内容】
【００１０】
上記の目的を達成するために、本発明のポケット付き手袋は、本体部と伸縮性のある形態または伸縮性のある素材で形成された手首部とからなる手袋本体に、収納用ポケットを装備したポケット付手袋において、前記収納用ポケットは、袋体と、蓋体と、留め具と、からなり、前記手袋本体の本体部の手の甲面側に設けられるとともに、前記袋体の入口部に合成ゴム素材による伸縮体を装着した構造であり、前記蓋体は前記袋体の三辺の側縁に達しない程度の大きさに形成され、前記留め具は蓋体の先端に装備され面ファスナにより形成されている構造である。
【手続補正３】
【補正対象書類名】明細書
【補正対象項目名】００１６
【補正方法】変更
【補正の内容】
【００１６】
２．入口部を合成ゴムとすることで伸縮性に優れた構造であるとともに、口のすぼまった袋体を形成しやすく、脱落し難い。また、安価で利便性の高い安全性を備えたポケット付手袋とすることが出来る。
３．蓋体を袋体の三辺の側縁に達しない程度の大きさにすることで、内側に二重に形成された収納用ポケットにより保温性が高く、収納する物品を変形することなく確実に保護することが出来る。また、デザイン性の高いポケット付手袋とすることが出来る。
【手続補正４】
【補正対象書類名】明細書
【補正対象項目名】００２８
【補正方法】変更
【補正の内容】
【００２８】
蓋体５０は、袋体４０の開口部４４を被覆するとともに収納物が脱落することを防止する。蓋体５０の大きさは限定されないが、袋体４０の三辺の側縁に達しない程度の大きさにすることが可能である。蓋体５０を袋体４０の三辺の側縁に達しない程度の大きさにして袋体全体を覆うことで甲面が二重に保護され、保温性が高く外部からの衝撃にも強い構成とすることができる。